【手続補正書】
【提出日】平成19年3月23日(2007.3.23)
【手続補正１】
【補正対象書類名】明細書
【補正対象項目名】特許請求の範囲
【補正方法】変更
【補正の内容】
【特許請求の範囲】
【請求項１】
像担持体と、導電性粒子を前記像担持体に接触させて前記像担持体を帯電する第１の帯電手段と、前記第１の帯電手段の前記像担持体の移動方向上流側に設けられた、前記像担持体を帯電する第２の帯電手段と、を有する画像形成装置であって、
前記第１の帯電手段と前記第２の帯電手段には同極性の電圧を印加して像担持体の帯電を行い、前記第２の帯電手段の帯電領域の幅が前記第１の帯電手段の帯電領域の幅よりも大きいことを特徴とする画像形成装置。
【請求項２】
前記像担持体の帯電面に電子潜像を形成し、現像手段により該電子潜像を顕在化してトナー像を形成し、該トナー像をトナー受容体に転写し、定着手段により固着像とすることを特徴とする請求項１に記載の画像形成装置。
【請求項３】
像担持体の帯電面に像露光により電子潜像を形成することを特徴とする請求項２に記載の画像形成装置。
【請求項４】
導電性粒子は磁気的に拘束された導電性の磁性体であり、該導電性粒子を像担持体に接触させて帯電を行なうことを特徴とする請求項１から３の何れかに記載の画像形成装置。
【請求項５】
導電性粒子は、帯電部材に付着しており、帯電部材とともに該像担持体に接触して帯電を行なうことを特徴とする請求項１から４の何れかに記載の画像形成装置。
【請求項６】
像担持体が、感光層、および表面層を有し、該表面層が樹脂および導電粒子を有することを特徴とする請求項１から５の何れかに記載の画像形成装置。
【請求項７】
導電粒子がＳｎＯ2であることを特徴とする請求項６に記載の画像形成装置。
【請求項８】
像担持体が非晶質のシリコンを有する表面層からなることを特徴とする請求項１から５の何れかに記載の画像形成装置。
【手続補正２】
【補正対象書類名】明細書
【補正対象項目名】００２５
【補正方法】変更
【補正の内容】
【００２５】
（１）像担持体と、導電性粒子を前記像担持体に接触させて前記像担持体を帯電する第１の帯電手段と、前記第１の帯電手段の前記像担持体の移動方向上流側に設けられた、前記像担持体を帯電する第２の帯電手段と、を有する画像形成装置であって、前記第１の帯電手段と前記第２の帯電手段には同極性の電圧を印加して像担持体の帯電を行い、前記第２の帯電手段の帯電領域の幅が前記第１の帯電手段の帯電領域の幅よりも大きいことを特徴とする画像形成装置。
【手続補正３】
【補正対象書類名】明細書
【補正対象項目名】００２６
【補正方法】変更
【補正の内容】
【００２６】
（２）前記像担持体の帯電面に電子潜像を形成し、現像手段により該電子潜像を顕在化してトナー像を形成し、該トナー像をトナー受容体に転写し、定着手段により固着像とすることを特徴とする（１）に記載の画像形成装置。
【手続補正４】
【補正対象書類名】明細書
【補正対象項目名】００２９
【補正方法】変更
【補正の内容】
【００２９】
（５）導電性粒子は、帯電部材に付着しており、帯電部材とともに該像担持体に接触して帯電を行なうことを特徴とする（１）から（４）の何れかに記載の画像形成装置。
【手続補正５】
【補正対象書類名】明細書
【補正対象項目名】００３０
【補正方法】削除
【補正の内容】
【手続補正６】
【補正対象書類名】明細書
【補正対象項目名】００３１
【補正方法】変更
【補正の内容】
【００３１】
（６）像担持体が、感光層、および表面層を有し、該表面層が樹脂および導電粒子を有することを特徴とする（１）から（５）の何れかに記載の画像形成装置。
【手続補正７】
【補正対象書類名】明細書
【補正対象項目名】００３２
【補正方法】変更
【補正の内容】
【００３２】
（７）導電粒子がＳｎＯ２であることを特徴とする（６）に記載の画像形成装置。
【手続補正８】
【補正対象書類名】明細書
【補正対象項目名】００３３
【補正方法】変更
【補正の内容】
【００３３】
（８）像担持体が非晶質のシリコンを有する表面層からなることを特徴とする（１）から（５）の何れかに記載の画像形成装置。
【手続補正９】
【補正対象書類名】明細書
【補正対象項目名】００３４
【補正方法】変更
【補正の内容】
【００３４】
〈作  用〉
導電性粒子、即ち導電性の微粒子又は導電性の磁性粒子を像担持体表面に接触させ、電圧を印加することによって帯電する第１の帯電手段を備えた画像形成装置において、第１の帯電手段よりも像担持体移動方向上流側に第２の帯電手段を設け、且つその帯電幅を第１の帯電手段の帯電幅より大きくする。第２の帯電手段には第１の帯電手段と同極性の電圧を印加することによって、第１の帯電手段の両端部に生じる電界を弱め、第１の帯電手段の端部において第１の帯電手段側から像担持体側への導電性粒子の付着を防止する。それと同時に第１の帯電手段が対応する像担持体帯電領域全域を第２の帯電手段であらかじめ第１の帯電手段の帯電極性と同極性に帯電することになるので、第１の帯電手段の汚染などによる帯電能力の低下に際しても、帯電部材の粒子担持体と像担持体との間に生じる電界を弱めることになり、第１の帯電手段が対応する像担持体帯電領域全域での導電性粒子の付着を防止することが出来る。
【手続補正１０】
【補正対象書類名】明細書
【補正対象項目名】００３９
【補正方法】変更
【補正の内容】
【００３９】
［主帯電］
２は感光ドラム１の周面を所定の極性・電位に一様に帯電処理する第１の帯電手段としての主帯電器（主帯電手段）である。本実施例では、スリーブ回転タイプの磁気ブラシ帯電器である。
【手続補正１１】
【補正対象書類名】明細書
【補正対象項目名】００４２
【補正方法】変更
【補正の内容】
【００４２】
マグネットローラ３０はスリーブ３１の回転方向に５つの磁極ピークを持ち、隣接して同極性の磁極ピークを持つ反発極構成となっている。磁性粒子は、磁気的に拘束された導電性の磁性体であり、マグネットローラ３０による磁気拘束力によってスリーブ３１上に磁気ブラシとして磁気拘束されて保持され、スリーブ３１の回転とともに搬送され、ブレード３２により層厚規制された後、感光ドラム１に接触しつつ感光ドラム１の回転方向とは逆方向に搬送される。
【手続補正１２】
【補正対象書類名】明細書
【補正対象項目名】００４５
【補正方法】変更
【補正の内容】
【００４５】
［現  像］
３は感光ドラム１面に形成された電子潜像を現像部ｂにおいてトナー像として現像（顕在化）する現像手段である。本実施例では、２成分現像剤を用いた反転現像器である。
【手続補正１３】
【補正対象書類名】明細書
【補正対象項目名】００５５
【補正方法】変更
【補正の内容】
【００５５】
クリーナー５によってトナーが除去された感光ドラム１は、第２の帯電手段としての副帯電器（副帯電手段）９によってあらかじめ帯電された後に再び次工程に入って主帯電器２である磁気ブラシ帯電器によって重ねて帯電され、繰り返して作像に供される。
【手続補正１４】
【補正対象書類名】明細書
【補正対象項目名】００５６
【補正方法】変更
【補正の内容】
【００５６】
［副帯電器］
上記の副帯電器９は、クリーナー５よりも感光ドラム回転方向下流側（像担持体の移動方向下流側）で、主帯電器２よりも感光ドラム回転方向上流側（像担持体の移動方向上流側）に配設してある。本実施例においてこの副帯電器９は接触帯電ローラ（以下、補助帯電ローラと記す）である。
【手続補正１５】
【補正対象書類名】明細書
【補正対象項目名】００５９
【補正方法】変更
【補正の内容】
【００５９】
芯金には電源Ｓ３より１．２ｋＶの直流電圧が印加されている。これにより感光ドラム１面は凡そ−５５０Ｖに接触帯電される。補助帯電ローラ９の感光ドラム母線方向の帯電領域の幅は主帯電器２である磁気ブラシ帯電器の帯電領域の幅よりも大きく（広く）なっており、その関係を図２に示す。
【手続補正１６】
【補正対象書類名】明細書
【補正対象項目名】００７９
【補正方法】変更
【補正の内容】
【００７９】
このような電子写真装置用感光体は、一般的には、導電性支持体を５０℃〜４００℃に加熱し、該支持体上に真空蒸着法、スパッタリング法、イオンプレーティング法、熱ＣＤ法、光ＣＤ法、プラズマＣＤ法等の成膜法によりａ−Ｓｉ（非晶質のシリコン）からなる光導電層を形成する。なかでもプラズマＣＤ法、すなわち、原料ガスを直流または高周波あるいはマイクロ波グロー放電によって分解し、支持体上にａ−Ｓｉ堆積膜を形成する方法が好適なものとして実用に付されている。